(57)【要約】      （修正有）【課題】デススペースをできるだけ少なくしつつ、骨壺の収納数量を引き上げることで、納骨堂そのものを可及的に小型化しつつ、その使用料を引き下げることができる納骨堂を提供する。【解決手段】納骨堂は、少なくとも主柱部２０と載置部３０と副柱部５1を有するものであり、主柱部２０は、ほぼ中空円筒形状を呈し、載置部３０は、平面視ほぼ円盤状でありその中心に円形の空所を有し、空所に主柱部２０を配置し、載置部３０は、主柱部２０と複数の副柱部５１によって主柱部２０周りに周回可能に支持されるように配置したものである。【選択図】図１
2016204881.tif 000002
【特許請求の範囲】
【請求項１】
円筒形の主柱部と、前記主柱部の周りに複数配置した副柱部と骨壺を載置可能な載置部を有する納骨堂であって、前記円筒形の主柱部と複数配置された副柱部の間に載置部を配置し、前記載置部は、平面視、ほぼ円盤状でありその中心における円形の空所に前記主柱部を配置し、前記載置部の内周を主柱部で支持し、前記載置部の外周を前記複数の副柱部で支持することにより前記載置部は前記主柱部周りに周回可能に配置したことを特徴とする納骨堂。
【請求項２】
前記主柱部の所定の位置に主載置部受け部を複数設け、かつ副柱部の所定の位置に副載置部受け部を複数設け、前記各主載置部受け部と前記各副載置部受け部によって前記載置部支持することを特徴とする請求項１記載の納骨堂。
【請求項３】
前記主載置部受け部と前記副載置部受け部にそれぞれ転動体を配置することを特徴とする請求項１または２記載の納骨堂。
【請求項４】
載置部は、上載置部と下載置部を有し、前記上載置部は複数の各上載置部材を有し、各上載置部材における上接合部同士を張り合わせ、前記下載置部は複数の下載置部材を有し、各下載置部材における下接合部同士を張り合わせ、前記上接合部同士を張り合わせた部分と、各下載置部材における下接合部同士を張り合わせた部分をずらしたことを特徴とする請求項１から３のいずれか１項記載の納骨堂。
【請求項５】
前記載置部に転動体を取り付けたことを特徴とする請求項１から４のいずれか１項記載の納骨堂。
【請求項６】
前記納骨堂を供養塔内に配置したことを特徴とする請求項１から５のいずれか１項記載の納骨堂。
【発明の詳細な説明】
【技術分野】
【０００１】
本発明は、納骨堂に関するものである。
【背景技術】
【０００２】
社会情勢の変化のもと核家族化が進み、先祖の墓地に入ることができないことから新たな墓地を求めた結果、墓地の価格が上昇することになり、墓地の確保が困難となっている。そのため遺骨を自宅などに保管している者から、寺院側に対して、永久的に預かる納骨堂を求める要請が増している。
【０００３】
しかしながら、従来この納骨堂は、遺骨を骨壺に入れた状態において、墓地に埋葬するまでの一時的な保管場所としての使用であったため十分な納骨堂を確保することは困難であり、特に小規模な寺等においては、用地の確保あるいは設置費用の観点から、十分な納骨堂を確保することはさらに困難であった。
【０００４】
一方で、都市部で使用されている納骨堂は、建物の屋内において、骨壺を収納するロッカーのような骨壷収納庫を前記屋内の壁面に多数配置したものが、特開２００１−２４１２１３号公報において開示されている。
【０００５】
これは、供養に訪れた者が、あたかも故人と対面したような感覚で追善供養を行えるようにするものであり、複数の納骨棚３を上下および左右方向に列設して形成された納骨壇１と、この納骨壇１の正面側床面に左右方向回動自在に設けられた祭壇２と、この祭壇２を回動させる駆動手段８と、供養者がデータを入力する操作パネルとを備え、操作パネルにデータが入力されると、駆動手段８が祭壇２を回転させ、入力されたデータに対応する納骨棚３に正対させる構成の納骨堂である。
【０００６】
上記の納骨堂は、屋内の一室において壁面全体に複数の納骨棚を設け、遺骨が収納された骨壺をその納骨棚に収納するものであり、供養するためには、納骨堂内に設けられた祭壇に対して法事等を行うことができる。この場合納骨堂内において法事等をするために床面を広くする必要があるが、この床面の広さがデススペースとなり、納骨堂の土地の広さに対して骨壺の収納数量が少ないという問題がある。したがって、収納数量を増すためには、比較的大規模な納骨堂を建設しなければならず納骨堂の使用料の高騰が避けられないという問題がある。
【先行技術文献】
【特許文献】
【０００７】
【特許文献１】特開２００１−２４１２１３号公報
【発明の概要】
【発明が解決しようとする課題】
【０００８】
本発明の課題は、骨壺を収める納骨堂のデススペースをできるだけ少なくしつつ、骨壺の収納数量を引き上げることで、前記納骨堂及びそれを収納する供養塔そのものを可及的に小型化しつつ、納骨堂の使用料を引き下げることを目的とする。
【０００９】
上記目的に鑑み鋭意研究の結果、上記課題を解決するために本発明は、円筒形の主柱部と、前記主柱部の周りに複数配置した副柱部と骨壺を載置可能な載置部を有する納骨堂であって、前記円筒形の主柱部と複数配置された副柱部の間に載置部を配置し、前記載置部は、平面視、ほぼ円盤状でありその中心における円形の空所に前記主柱部を配置し、前記載置部の内周を主柱部で支持し、前記載置部の外周を前記複数の副柱部で支持することにより前記載置部は前記主柱部周りに回転可能に配置するという手段を講じたものである。
【００１０】
載置部に複数の骨壺を置き、その載置部における円形の空所に前記主柱部を配置するとともに前記主柱部と複数の副柱部よって前記載置部を前記主柱部の周りに回転可能に支持することで、載置部に複数の骨壺を載置することができるとともに、供養する者に対し、納骨堂内に入ることなく、供養するために骨壺と対面することができるので、そのためのデススペースを可及的に低減することができる。また、納骨堂自体を小型化することができるので納骨堂の設置コストを引き下げることができ、使用者に対する納骨堂の使用料を引き下げることができる。
【００１１】
また、本発明における前記主柱部の所定の位置に主載置部受け部を複数設け、かつ副柱部の所定の位置に副載置部受け部を複数設け、前記各主載置部受け部と前記各副載置部受け部によって前記載置部支持するという手段を講じたものである。
【００１２】
ここで所定の位置とは、主柱部における上下に隣接する主載置部受け部同士の間隔を骨壺の高さよりも大とすることであり、同様に、副柱部における上下に隣接する副載置部受け部同士の間隔を骨壺の高さよりも大とすることである。また、主載置部受け部と、副柱部における副載置部受け部の上下方向すなわち長手方向の高さをそれぞれ一致させて、前記主柱部における主載置部受け部と副柱部における副載置部受け部に載置部を支持した場合に、前記載置部を水平に支持することができる位置を言う。また、載置部を複数配置する場合においても、骨壺を収納するのに適した上下の間隔を有する位置であることは言うまでもない。
【００１３】
本発明における前記主載置部受け部と前記副載置部受け部にそれぞれ転動体を配置するという手段を講じたものである。載置部を主柱部周りに周回させる際の抵抗を可及的に軽減することができ、手動によって容易に、載置部を主柱部周りに回転させることができる。
【００１４】
また、本発明における載置部は、上載置部と下載置部を有し、前記上載置部は複数の各上載置部材を有し、各上載置部材における上接合部同士を張り合わせ、前記下載置部は複数の下載置部材を有し、各下載置部材における下接合部同士を張り合わせ、前記上接合部同士を張り合わせた部分と、各下載置部材における下接合部同士を張り合わせた部分をずらすという手段を講じたものである。これによりたとえば石材によって、上載置部材および下載置部材を製作した場合であっても、上接合部同士と下接合部同士の部分を交互に補強できるので、載置部そのものをほぼ石材で構成することができ、厳粛な雰囲気を醸し出すことができる。
【００１５】
また、本発明における載置部に転動体を取り付けたことを特徴とするものである。これによりさらに容易に載置部を回転させることができる。
【００１６】
また、本発明における前記納骨堂を供養塔内に配置するという手段を講じたものである。納骨堂のみではなく、前記納骨堂を供養塔堂内に配置することにより、厳粛な雰囲気の中でご遺骨に対し参拝することができる。
【発明の効果】
【００１７】
本発明は以上のように構成され、かつ、作用するものであり納骨堂におけるデススペースをできるだけ少なくしつつ、骨壺の収納数量を引き上げることができ、納骨堂そのものを可及的に小型化しつつ、その使用料を引き下げることができる。
【図面の簡単な説明】
【００１８】
【図１】納骨堂の斜視図
【図２】納骨堂の分解斜視図
【図３】Ａは、主柱部材の斜視図、Ｂは主柱部材にＬ字状板と転動体を配置した状態の斜視図
【図４】Ｌ字状板、副Ｌ字状板の斜視図
【図５】主壁部材の斜視図
【図６】載置部の斜視図
【図７】Ａは、副柱部の斜視図、Ｂは副柱部に副Ｌ字状板と転動体を配置した状
【図８】転動体の斜視図
【図９】供養塔の斜視図
【図１０】供養塔の分解斜視図
【図１１】供養塔内に納骨堂を配置した状態の斜視図
【発明を実施するための最良の形態】
【００１９】
本実施例における納骨堂１０は、少なくとも主柱部２０と載置部３０と複数の副柱部５１を有するものであり、主柱部２０は、複数の主柱部材２１と複数の主壁部材２６を交互に組み合わせ、空所２７を有するほぼ中空円筒形状を呈するものである。本実施例においては主柱部材２１と複数の主壁部材２６をそれぞれ８つずつ交互に配置している。また、これらは石材を組み合わせることにより構成することができるが、これに限られることはない。
【００２０】
主柱部材２１は、一定の間隔をあけて上下方向すなわち長手方向における所定の複数個所に、それぞれ主載置部受け部２２を有する。また、主柱部材２１における前記各主載置部受け部２２の直上に、凹部２１ａを配置し、前記凹部２１ａと主載置部受け部２２にＬ字プレート２５を配置している。凹部２１ａは、Ｌ字プレート２５の厚さに応じた深さを有し、Ｌ字プレート２５が主柱部材２１に配置された場合に面一となる。なお、Ｌ字プレート２５は文字通り側面視Ｌ字状を呈し、金属製であることが好ましい。また、Ｌ字プレート２５を配置した、前記凹部２１ａと主載置部受け部２２は、本実施例における主柱部材２１に、上下方向において所定の間隔をあけて４カ所配置している。また、前記Ｌ字プレート２５上に後述の転動体６０を回転可能に取り付ける。尚、主載置部受け部２２に直接転動体６０を取り付けることを排除する趣旨ではない。また、主柱部材２１の上下方向における所定の複数個所に主載置部受け部２２を設けた場合の所定の間隔とは、骨壺を下の載置部３０に置いた場合に、少なくともその上段の載置部３０の裏面と、当該骨壺が干渉しない高さを有することを言い、当該骨壺の高さより離れている位置をいうものである。すなわち主柱部材２１の上下方向すなわち長手方向において隣り合う主載置部受け部２２と主載置部受け部２２が骨壺の高さ以上に離間していることを言う。また、主壁部材２６は、断面視扇状を呈するものである。なお、図示しないが、主壁部材２６の一部を蝶番等により開閉可能にし、空所２７内に散骨することも好ましい。
【００２１】
載置部３０は、上載置部３１と下載置部４１を有し、平面視、ほぼ円盤状でありその中心に円形の空所３０ａに面した上内周部３１ａと下内周部４１ａを有し、また、上外周部３１ｂと下外周部４１ｂを有するものである。また、本実施例では、上載置部材３２は、前記上載置部３１を４分割した形状を呈し、それぞれの上載置部材３２における上接合部３５同士を接着剤で接合している。また、上載置部材３２における上内周部３１ａに、転動取付け部３３を配置している。これは後述の転動体６０を取り付けるためのものである。
【００２２】
また、下載置部４１は、複数の下載置部材４２を有し、下載置部材４２は扇形状を呈するものである。本実施例では、下載置部材４２は、下載置部４１を４分割した形状を呈し、それぞれの下載置部材４２における下接合部４５同士を接着剤で接合している。
【００２３】
上記上載置部３１と下載置部４１はそれぞれ、上載置部材３２における上接合部３５同士と下載置部材４２における下接合部４５同士を平面視４５度の角度でずらし、一致しないようにして、上記上載置部３１と下載置部４１を張り合わせている。
【００２４】
即ち、本実施例においては、上載置部材３２における上接合部３５同士を接着剤で接合している個所は、図面上方を０度とした場合において、０度の方向、９０度の方向、１８０度の方向、２７０度の方向であるが、下載置部材４２における下接合部４５同士を接着剤で接合している個所は、４５度ずらし、それぞれ、４５度の方向、１３５度の方向、２２５度の方向、３１５度の方向である（図６参照）。このように、上載置部材３２における上接合部３５同士を接着剤で接合している個所と、下載置部材４２における下接合部４５同士を接着剤で接合している個所を４５度ずらしたのは、共に石材で構成する場合に、上接合部３５同士を接着剤で接合している個所と下接合部４５同士を接着剤で接合している個所が一致するとそれら上接合部３５同士と下接合部４５同士の強度を互いに確保するのが困難であるからである。
【００２５】
副柱部５１は、一定の間隔をあけて上下方向すなわち長手方向の所定の複数個所に、それぞれ副載置部受け部５２を有する。また、副柱部５１における前記各副載置部受け部５２の直上に、凹部５１ａを配置し、前記凹部５１ａと副載置部受け部５２に副Ｌ字プレート５５を配置している。凹部５１ａは、副Ｌ字プレート５５の厚さに応じた深さを有し、副Ｌ字プレート５５が副柱部５１に配置された場合に面一となる。尚、副Ｌ字プレート５５は文字通り側面視Ｌ字状を呈し、金属製であることが好ましい。また、副Ｌ字プレート５５を配置した、前記凹部５１ａと副載置部受け部５２は、本実施例における副柱部５１において、所定の間隔をあけて上下方向に４カ所配置している。また、前記副Ｌ字プレート５５上に後述の転動体６０を回転可能に取り付ける。尚、副載置部受け部５２に直接転動体６０を取り付けることを排除する趣旨ではない。また、副柱部５１の上下方向における所定の複数個所に副載置部受け部５２を設けた場合の所定の間隔とは、骨壺を下の載置部３０においた場合に、少なくともその上段の載置部３０と当該骨壺が干渉しない高さを有することを言うものである。すなわち副柱部５１の上下方向において隣り合う副載置部受け部５２と副載置部受け部５２が骨壺の高さ以上に離間していることを言う。
【００２６】
また、主柱部材２１におけるそれぞれ主載置部受け部２２と、対向する位置に配置した副柱部５における、それぞれ副載置部受け部５２の高さは一致することは言うまでもない。これにより載置部３０は、同一の高さにおける平面内で主柱部２０の周りに回転することができる。
【００２７】
転動体６０は、断面視Ｕの字状の車輪支持部６１とそれに支持される車輪６２を有するものである。断面視Ｕの字状の車輪支持部６１は、金属製が好ましい。また、転動体６０は、それぞれ配置されている部分に応じてその大きさを適宜変更できることは言うまでもない。
【００２８】
上記構成の主柱部２０から、載置部３０の幅に相当する位置であって前記主柱部２０のまわりに、複数の副柱部５１を配置する。本実施例の場合は、６本の副柱部５１を主柱部２０から平面視同心円状に並べ、各副柱部５１同士を等間隔に配置する。このように配置した場合に主載置部受け部２２と各副柱部５１における副載置部受け部５２を対向する位置に配置し、また、各前記凹部２１ａと主載置部受け部２２に各Ｌ字プレート２５を配置し、前記凹部５１ａと副載置部受け部５２に各副Ｌ字プレート５５を配置し、それらに転動体６０をそれぞれ配置する。断面視Ｕの字状の車輪支持部６１は、金属製が好ましく、各Ｌ字プレート２５および各副Ｌ字プレート５５も金属製である場合は溶接により固定することができる。
【００２９】
主柱部２０から、載置部３０の幅、すなわち上接合部３５の長さに相当する位置であって前記主柱部２０のまわりに、複数の副柱部５１を配置した場合に、主柱部２０と、複数の各副柱部５１の間に、下載置部材４２を差し入れ、主柱部２０と複数の各副柱部５１の間において、各下載置部材４２における下接合部４５同士を接着材で接着し下載置部４１を構成する。
【００３０】
同様に転動取付け部３３に転動体６０を配置した各上載置部材３２において、当該上載置部材３２における上接合部３５同士を接着剤で接合することによって、下載置部４１上に載置部３１を構成しそれらを一体として主柱部２０と複数の副柱部５１に支持されるように載置部３０を配置構成する。すなわち、下載置部４１と上載置部３１を有する載置部３０を、主柱部２０と各副柱部５１に支持されるように配置構成することができる。よって、載置部３０における上内周部３１ａ及び下内周部４１ａは主柱部２０によって支持され、上外周部３１ｂ及び下外周部４１ｂは、複数の副柱部５１によって支持することができる。
【００３１】
本実施例の場合、各主柱部材２１においてＬ字プレート２５を配置した、前記凹部２１ａと主載置部受け部２２は、上下方向に４カ所配置し、同様に副Ｌ字プレート５５を配置した、前記凹部５１ａと副載置部受け部５２は、各副柱部５１において上下方向に４カ所配置しているため、いわば４段構成であり、載置部３０を上下方向に４枚、主柱部２０と副柱部５１に支持されるように配置構成することができる。もっともこの段数は任意であり、骨壺の大きさ、または納骨堂の規模によって適宜選択可能であることは言うまでもない。
【００３２】
載置部３０は、上記のとおり、Ｌ字プレート２５を配置した転動体６０および副Ｌ字プレート５５に配置した転動体６０により、主柱部２０周りに回転可能に配置されている。すなわち、載置部３０における上内周部３１ａ及び下内周部４１ａは主柱部２０によって支持され、上外周部３１ｂおよび下外周部４１ｂは、複数の副柱部５１によって支持されている。よって、載置部３０を、手動により、容易に主柱部２０周りに回転することができる。また、転動取付け部３３に転動体６０を配置しているのでさらに容易に回転することができる。
【００３３】
供養塔１００は、複数の柱部１１０、複数の扉受け柱１１５、複数の壁部１２０、扉部１３０、複数の土台部片１４１と床部１４２とたたき１４３と屋根部１５０を有するものである。よって、供養塔１００は、複数の土台部片１４１と床部１４２とたたき１４３を構成した上に、平面視８角形状における６カ所の頂点部分１４５（一部のみ図示する。）に、前記各柱部１１０を６本配置し、他の２か所の頂点部分１４６に各扉受け柱１１５を２本立設する。また、前記各柱部１１０における凹部１１１に嵌合するように各壁部１２０を配置する。また、柱部１１０おける凹部１１１と、各扉受け柱１１５における凹部１１６の間においても壁部１２０を配置する。
【００３４】
各扉受け柱１１５に扉受け部１１７を配置し、扉部１３０における扉部材１３１、１３１を開閉可能に配置する公知の構成である。これは上記のとおり観音開きに開閉するものである。
【００３５】
上記のとおり構成すると、空所２００を有する。この空所２００内に上記納骨堂１０を配置し、屋根部１５０と飾り部材１６０を取り付ければ、納骨堂１０が収納された供養塔１００を完成することができる。納骨堂１０が収納された供養塔１００は、転動部６０あるいはＬ字プレート２５および副Ｌ字プレート５５以外はすべて石材をその素材とすることができる。この場合花崗岩、御影石類を使用することができるがこれに限られることはない。また、Ｌ字プレート２５および副Ｌ字プレート５５は、本実施例では同一のものであるが、これに限られるものではない。
【００３６】
納骨堂１０が収納された供養塔１００において、骨壺を収納する場合は、使用者が、開閉可能に配置された扉部材１３１、１３１を開き、納骨堂１０における、載置部３０上に遺骨を収納した骨壺を載置する。また他の骨壺を載置する場合は前記載置部３０を主柱部２０周りに回転させた後に載置部３０上の空きスペースに再び他の骨壺を載置する（図示せず）。
【００３７】
このように、１の載置部３０に複数個の骨壺を安置することができ、その載置部３０は、本実施例においては４段構成であることから、設置面積当たり４倍の収納数量を確保することができる。
【００３８】
また、供養塔１００内における納骨堂１０に安置された遺骨に対して参拝する場合は、同様に扉部１３０開け、いずれかの載置部３０に安置された骨壺に対面するように、載置部３０を、主柱部２０周りに回転させることで、扉部１３０を開けた開口部に前記載置部３０上に載置した骨壺と対面するようにして、参拝することができる。なお、参拝者自身ではなく、寺院等の関係者がこのような作業をしても好ましい。
【００３９】
このように、参拝時において納骨堂１０および供養塔１００内に立ち入ることなく参拝することができるために、参拝のためにスペースを割くことなくそのスペースを可及的に軽減することができるためコンパクトで使用料が比較的安価な納骨堂１０および供養塔１００を提供することができる。
【符号の説明】
【００４０】
１０、納骨堂
２０、主柱部
２１、主柱部材
２２、主載置部受け部
２７、空所
３０、載置部
３１、上載置部
３２、上載置部材
３５、上接合部
４１、下載置部
４２、下載置部材
４５、下接合部
５１、副柱部
５５、副Ｌ字プレート
６０、転動体
１００、供養塔
【図１】
2016204881.tif 000003
【図２】
2016204881.tif 000004
【図３】
2016204881.tif 000005
【図４】
2016204881.tif 000006
【図５】
2016204881.tif 000007
【図６】
2016204881.tif 000008
【図７】
2016204881.tif 000009
【図８】
2016204881.tif 000010
【図９】
2016204881.tif 000011
【図１０】
2016204881.tif 000012
【図１１】
2016204881.tif 000013